(57)【要約】【課題】調光下限側から調光上限側までの調光速度を一定範囲に抑え、応答の良い明かり変化を実現した調光器及び光源装置を提供する。【解決手段】光源装置と電気的に接続される一対の出力端子を有し、一対の出力端子から光源装置に直流電圧を供給する定電圧電源回路と、一対の出力端子の間に設けられたコンデンサと、調光信号の調光度に応じて直流電圧の電圧値を調整することにより、調光度に応じた明るさで光源装置を点灯させる制御部と、一対の出力端子のそれぞれと電気的に接続される一対の端子部を有し、一対の端子部の間に電流を流す第１状態と、一対の端子部の間の電流を第１状態よりも小さくする第２状態と、を有する負荷調整部と、を備え、制御部は、調光度が所定値以上の時に負荷調整部を第２状態とし、調光度が所定値未満の時に負荷調整部を第１状態とする調光器が提供される。【選択図】図１
2020109728.tif 000002
【特許請求の範囲】
【請求項１】
光源装置と電気的に接続される一対の出力端子を有し、前記一対の出力端子から前記光源装置に直流電圧を供給するとともに、前記直流電圧の電圧値を調整可能な定電圧電源回路と、
前記一対の出力端子の間に設けられたコンデンサと、
調光信号の入力を受け、前記調光信号に基づいて前記定電圧電源回路の動作を制御し、前記調光信号の調光度に応じて前記直流電圧の電圧値を調整することにより、前記調光度に応じた明るさで前記光源装置を点灯させる制御部と、
前記一対の出力端子の間に設けられ、前記一対の出力端子のそれぞれと電気的に接続される一対の端子部を有し、前記一対の端子部の間に電流を流す第１状態と、前記一対の端子部の間の電流を前記第１状態よりも小さくする第２状態と、を有する負荷調整部と、
を備え、
前記制御部は、前記調光信号に基づいて前記負荷調整部の動作を制御し、前記調光度が所定値以上の時に前記負荷調整部を前記第２状態とし、前記調光度が前記所定値未満の時に前記負荷調整部を前記第１状態とする調光器。
【請求項２】
前記負荷調整部は、前記第１状態において前記一対の端子部の間に流れる電流を調整可能である請求項１記載の調光器。
【請求項３】
前記制御部は、前記光源装置の定格消費電力に応じて、前記第１状態において前記一対の端子部の間に流れる電流を調整する請求項２記載の調光器。
【請求項４】
前記一対の出力端子は、並列に接続される複数の前記光源装置と電気的に接続可能であり、
前記制御部は、前記一対の出力端子に接続される前記光源装置の数に応じて、前記第１状態において前記一対の端子部の間に流れる電流を調整する請求項２又は３に記載の調光器。
【請求項５】
前記制御部は、前記一対の出力端子の間に流れる負荷電流を検出し、前記負荷電流に応じて、前記第１状態において前記一対の端子部の間に流れる電流を調整する請求項２〜４のいずれか１つに記載の調光器。
【請求項６】
前記制御部は、前記所定値を変更可能である請求項１〜５のいずれか１つに記載の調光器。
【請求項７】
前記制御部は、前記光源装置の定格消費電力に応じて、前記所定値を変更する請求項６記載の調光器。
【請求項８】
前記一対の出力端子は、並列に接続される複数の前記光源装置と電気的に接続可能であり、
前記制御部は、前記一対の出力端子に接続される前記光源装置の数に応じて、前記所定値を変更する請求項６又は７に記載の調光器。
【請求項９】
前記制御部は、前記一対の出力端子の間に流れる負荷電流を検出し、前記負荷電流に応じて、前記所定値を変更する請求項６〜８のいずれか１つに記載の調光器。
【請求項１０】
発光素子と、
直流の入力電圧を入力するための一対の入力端子と、前記発光素子と電気的に接続される一対の出力端子と、を有し、前記入力電圧に基づいて前記発光素子に直流電流を供給するとともに、前記直流電流の電流値を調整可能な定電流電源回路と、
前記入力電圧の電圧値を検出し、前記電圧値に基づいて前記定電流電源回路の動作を制御し、前記電圧値に応じて前記直流電流の電流値を調整することにより、前記電圧値に応じた明るさで前記発光素子を点灯させる制御部と、
前記一対の入力端子のそれぞれ又は前記一対の出力端子のそれぞれと電気的に接続される一対の端子部を有し、前記一対の端子部の間に電流を流す第１状態と、前記一対の端子部の間の電流を前記第１状態よりも小さくする第２状態と、を有する負荷調整部と、
を備え、
前記制御部は、前記電圧値に基づいて前記負荷調整部の動作を制御し、前記電圧値が所定値以上の時に前記負荷調整部を前記第２状態とし、前記電圧値が前記所定値未満の時に前記負荷調整部を前記第１状態とする光源装置。
【発明の詳細な説明】
【技術分野】
【０００１】
本発明の実施形態は、調光器及び光源装置に関する。
【背景技術】
【０００２】
直流電圧の入力に応じて点灯する光源装置と、光源装置に入力する直流電圧を変化させることにより、光源装置から照射される光の明るさを調整可能とする調光器と、を備えた照明システムが知られている。
【０００３】
光源装置は、例えば、ＬＥＤ（Light Emitting Diode）電球である。調光器は、例えば、操作器などから入力される調光信号に応じて、光源装置に入力する直流電圧を変化させることにより、調光信号に応じた明るさで光源装置を点灯させる。調光器は、例えば、調光信号に応じて、全光から消灯まで光源装置から照射される光の明るさを調整する。
【０００４】
調光器の出力側には、例えば、複数の光源装置が接続される場合がある。複数の光源装置は、調光器の出力側に対して並列的に接続される。調光器は、調光信号に応じた実質的に一定の直流電圧を出力するように定電圧制御を行う。これにより、調光器に接続される光源装置の数が変化した場合にも、１つ又は複数の光源装置に対して実質的に一定の直流電圧を入力することができる。そして、調光器に対して複数の光源装置が接続された場合にも、調光信号に応じた実質的に一定の明るさで複数の光源装置のそれぞれを点灯させることができる。
【０００５】
調光器の出力側には、直流電圧を安定させるためのコンデンサが実装されている。このため、例えば、調光器に接続される光源装置の数が少ない状態で低い調光度が設定された場合など、負荷電流が小さくなった場合に、コンデンサの放電時間が長くなり、直流電圧の変化時間が遅くなってしまう可能性があった。例えば、高い調光度が設定された状態から低い調光度に下げる場合に、コンデンサの放電に時間がかかり、調光度に応じた直流電圧となるまでに時間がかかってしまう可能性がある。すなわち、明るい状態から暗い状態にする場合に、調光度に応じた暗さとなるまでに時間がかかってしまう可能性がある。
【０００６】
このため、調光器及び光源装置では、調光下限側から調光上限側までの調光速度を一定範囲に抑え、応答の良い明かり変化を実現することが望まれる。
【先行技術文献】
【特許文献】
【０００７】
【特許文献１】特許第５０５８７７８号公報
【発明の概要】
【発明が解決しようとする課題】
【０００８】
本発明の実施形態は、調光下限側から調光上限側までの調光速度を一定範囲に抑え、応答の良い明かり変化を実現した調光器及び光源装置を提供する。
【課題を解決するための手段】
【０００９】
本発明の実施形態によれば、光源装置と電気的に接続される一対の出力端子を有し、前記一対の出力端子から前記光源装置に直流電圧を供給するとともに、前記直流電圧の電圧値を調整可能な定電圧電源回路と、前記一対の出力端子の間に設けられたコンデンサと、調光信号の入力を受け、前記調光信号に基づいて前記定電圧電源回路の動作を制御し、前記調光信号の調光度に応じて前記直流電圧の電圧値を調整することにより、前記調光度に応じた明るさで前記光源装置を点灯させる制御部と、前記一対の出力端子の間に設けられ、前記一対の出力端子のそれぞれと電気的に接続される一対の端子部を有し、前記一対の端子部の間に電流を流す第１状態と、前記一対の端子部の間の電流を前記第１状態よりも小さくする第２状態と、を有する負荷調整部と、を備え、前記制御部は、前記調光信号に基づいて前記負荷調整部の動作を制御し、前記調光度が所定値以上の時に前記負荷調整部を前記第２状態とし、前記調光度が前記所定値未満の時に前記負荷調整部を前記第１状態とする調光器が提供される。
【発明の効果】
【００１０】
本発明の実施形態によれば、調光下限側から調光上限側までの調光速度を一定範囲に抑え、応答の良い明かり変化を実現した調光器及び光源装置を提供することができる。
【図面の簡単な説明】
【００１１】
【図１】実施形態に係る照明システムを模式的に表すブロック図である。
【図２】実施形態に係る照明システムの動作の一例を模式的に表すフローチャートである。
【図３】実施形態に係る照明システムの別の動作の一例を模式的に表すフローチャートである。
【図４】実施形態に係る照明システムの別の動作の一例を模式的に表すフローチャートである。
【図５】実施形態に係る照明システムの変形例を模式的に表すブロック図である。
【図６】実施形態に係る照明システムの動作の一例を模式的に表すフローチャートである。
【図７】実施形態に係る照明システムの別の動作の一例を模式的に表すフローチャートである。
【図８】実施形態に係る照明システムの別の動作の一例を模式的に表すフローチャートである。
【図９】実施形態に係る照明システムの変形例を模式的に表すブロック図である。
【図１０】実施形態に係る照明システムの変形例を模式的に表すブロック図である。
【発明を実施するための形態】
【００１２】
以下に、各実施の形態について図面を参照しつつ説明する。  
なお、図面は模式的または概念的なものであり、各部分の厚みと幅との関係、部分間の大きさの比率などは、必ずしも現実のものと同一とは限らない。また、同じ部分を表す場合であっても、図面により互いの寸法や比率が異なって表される場合もある。  
なお、本願明細書と各図において、既出の図に関して前述したものと同様の要素には同一の符号を付して詳細な説明は適宜省略する。
【００１３】
図１は、実施形態に係る照明システムを模式的に表すブロック図である。  
図１に表したように、照明システム１０は、調光器１２と、光源装置１４と、操作器１６と、を備える。調光器１２は、光源装置１４及び操作器１６と接続されている。また、調光器１２は、交流電源２と接続されている。交流電源２は、例えば、１００Ｖ（実効値）の商用電源である。これにより、調光器１２には、交流電源２から交流電力が供給される。
【００１４】
操作器１６は、例えば、スイッチやレバーなどの操作部材を有し、使用者による操作部材の操作に応じた調光信号を調光器１２に入力する。調光信号は、調光上限と調光下限との間の任意の調光度を調光器１２に設定するための信号である。調光上限は、例えば、全光（調光１００％）である。調光下限は、例えば、消灯（調光０％）である。調光下限は、例えば、数％程度の調光度でもよい。また、調光信号は、調光上限と調光下限との間で連続的に調光度を変化させる構成でもよいし、調光上限と調光下限との間で数％ステップなどで段階的に調光度を変化させる構成でもよい。
【００１５】
調光器１２は、交流電源２から供給された交流電力を、調光信号の調光度に応じた電圧値の直流電力に変換し、光源装置１４に供給する。これにより、調光器１２は、調光信号の調光度に応じた明るさで、光源装置１４を点灯させる。
【００１６】
なお、調光器１２に供給される電力は、交流電力に限ることなく、直流電力でもよい。調光器１２は、例えば、直流電源から供給された直流電力の電圧値を調光度に応じた電圧値に変換して光源装置１４に供給する構成でもよい。また、調光信号は、操作器１６から調光器１２に入力する構成に限定されるものではない。例えば、ネットワークなどを介して外部の制御機器などから調光器１２に調光信号を入力してもよい。例えば、調光器１２自体に設けられた操作部材によって調光信号を入力できるようにしてもよい。これらの構成の場合、操作器１６は、省略可能である。操作器１６は、照明システム１０に必要に応じて設けられ、省略可能である。
【００１７】
照明システム１０は、例えば、複数の光源装置１４を備える。調光器１２は、例えば、複数の光源装置１４を接続可能に構成されている。複数の光源装置１４は、調光器１２の出力に対して並列に接続される。調光器１２は、複数の光源装置１４に対して実質的に同じ直流電圧を印加する。これにより、複数の光源装置１４のそれぞれを調光信号の調光度に応じた明るさで点灯させることができる。
【００１８】
図１では、２つの光源装置１４を調光器１２に接続した例を示している。調光器１２に接続する光源装置１４の数は、１つでもよいし、３つ以上でもよい。照明システム１０が備える光源装置１４の数は、任意の数でよい。また、複数の光源装置１４の構成は、実質的に同じである。このため、図１では、２つ目の光源装置１４を簡略化して図示している。
【００１９】
調光器１２は、定電圧電源回路２０と、コンデンサ２２と、制御部２４と、負荷調整部２６と、電圧検出部２８と、を有する。
【００２０】
定電圧電源回路２０は、一対の入力端子２０ａ、２０ｂと、一対の出力端子２０ｃ、２０ｄと、を有する。一対の入力端子２０ａ、２０ｂは、交流電源２と電気的に接続される。これにより、交流電源２の交流電力が、一対の入力端子２０ａ、２０ｂを介して定電圧電源回路２０に供給される。一対の出力端子２０ｃ、２０ｄは、光源装置１４と電気的に接続される。照明システム１０が複数の光源装置１４を備える場合、複数の光源装置１４は、一対の出力端子２０ｃ、２０ｄの間に並列に接続される。
【００２１】
定電圧電源回路２０は、交流電源２から入力された交流電圧を直流電圧に変換し、一対の出力端子２０ｃ、２０ｄから光源装置１４に変換後の直流電圧を供給する。定電圧電源回路２０は、光源装置１４に供給する直流電圧の電圧値を調整可能である。この例において、定電圧電源回路２０は、いわゆるＡＣ−ＤＣコンバータである。定電圧電源回路２０は、例えば、ＤＣ−ＤＣコンバータなどでもよい。定電圧電源回路２０は、光源装置１４に対して所定の電圧値の直流電圧を供給可能な任意の構成でよい。
【００２２】
コンデンサ２２は、定電圧電源回路２０の一対の出力端子２０ｃ、２０ｄの間に設けられる。コンデンサ２２は、例えば、定電圧電源回路２０から出力される直流電圧の電圧値を安定させる。
【００２３】
電圧検出部２８は、定電圧電源回路２０の一対の出力端子２０ｃ、２０ｄの間に設けられる。電圧検出部２８は、定電圧電源回路２０の一対の出力端子２０ｃ、２０ｄから出力される直流電圧の電圧値を検出し、検出結果を制御部２４に入力する。
【００２４】
制御部２４は、調光信号の入力を受ける。制御部２４は、例えば、操作器１６と電気的に接続され、操作器１６から出力された調光信号を受ける。制御部２４は、例えば、ネットワークインターフェースなどを介して外部の機器から調光信号を受けてもよいし、調光度を設定するための操作部材と電気的に接続され、調光器１２に設けられた操作部材から直接的に調光信号を受けてもよい。
【００２５】
制御部２４は、調光信号に基づいて定電圧電源回路２０の動作を制御し、調光信号の調光度に応じて直流電圧の電圧値を調整することにより、調光度に応じた明るさで光源装置１４を点灯させる。定電圧電源回路２０は、制御部２４の制御に基づき、調光度に応じた実質的に一定の電圧値の直流電圧を光源装置１４に供給する。
【００２６】
制御部２４は、調光度の上昇に応じて電圧値を高くする。制御部２４は、例えば、調光下限の時に電圧値が４０Ｖ程度となるように定電圧電源回路２０の動作を制御し、調光上限の時に電圧値が８０Ｖ程度となるように定電圧電源回路２０の動作を制御する。そして、制御部２４は、調光下限と調光上限との間においては、任意の調光カーブを基に、４０Ｖと８０Ｖとの間の電圧値となるように定電圧電源回路２０の動作を制御する。
【００２７】
また、制御部２４は、例えば、調光信号に基づいて定電圧電源回路２０の動作を制御するとともに、電圧検出部２８の検出結果に基づいて定電圧電源回路２０の動作をフィードバック制御する。これにより、直流電圧の電圧値を調光度に応じた電圧値により適切に調整することができる。
【００２８】
調光器１２は、例えば、電流検出部３０をさらに備える。電流検出部３０は、一対の出力端子２０ｃ、２０ｄの間に流れる直流電流の電流値を検出する。換言すれば、電流検出部３０は、光源装置１４に流れる負荷電流を検出する。電流検出部３０は、電流値の検出結果を制御部２４に入力する。電流検出部３０は、例えば、電流検出抵抗である。制御部２４は、例えば、電圧検出部２８の検出結果及び電流検出部３０の検出結果に基づいて定電圧電源回路２０の動作をフィードバック制御する。これにより、直流電圧の電圧値を調光度に応じた電圧値により適切に調整することができる。
【００２９】
負荷調整部２６は、一対の出力端子２０ｃ、２０ｄの間に設けられ、一対の出力端子２０ｃ、２０ｄのそれぞれと電気的に接続される一対の端子部２６ａ、２６ｂを有する。一方の端子部２６ａは、一方の出力端子２０ｃと電気的に接続されている。他方の端子部２６ｂは、他方の出力端子２０ｄと電気的に接続されている。
【００３０】
負荷調整部２６は、第１状態と、第２状態と、を有する。第１状態は、一対の端子部２６ａ、２６ｂの間に電流を流す状態である。第２状態は、一対の端子部２６ａ、２６ｂの間の電流を少なくとも第１状態よりも小さくする状態であり、電流を遮断するように構成してもよい。
【００３１】
負荷調整部２６は、例えば、抵抗素子４０とスイッチング素子４２とを有する。抵抗素子４０は、一対の端子部２６ａ、２６ｂの間に設けられる。スイッチング素子４２は、一対の端子部２６ａ、２６ｂの間において、抵抗素子４０と直列に接続される。スイッチング素子４２は、例えば、リレーなどの機械式のスイッチである。
【００３２】
スイッチング素子４２をオン状態とすると、抵抗素子４０が光源装置１４及びコンデンサ２２に対して並列に接続され、一対の端子部２６ａ、２６ｂの間に電流が流れる。一方、スイッチング素子４２をオフ状態とすると、抵抗素子４０を光源装置１４及びコンデンサ２２に対して並列に接続する経路が切れ、一対の端子部２６ａ、２６ｂの間に実質的に電流が流れなくなる。
【００３３】
すなわち、この例では、スイッチング素子４２をオン状態にすることによって、負荷調整部２６が第１状態となり、スイッチング素子４２をオフ状態にすることによって、負荷調整部２６が第２状態となる。この例で示すように、一対の端子部２６ａ、２６ｂの間の電流を第１状態よりも小さくする第２状態は、一対の端子部２６ａ、２６ｂの間に実質的に電流が流れない状態でもよい。第２状態は、例えば、第１状態において流れる電流よりも小さい電流が一対の端子部２６ａ、２６ｂの間に流れる状態でもよい。
【００３４】
制御部２４は、調光信号に基づいて負荷調整部２６の動作を制御し、調光度が所定値以上の時に負荷調整部２６を第２状態とし、調光度が所定値未満の時に負荷調整部２６を第１状態とする。この例において、制御部２４は、スイッチング素子４２と電気的に接続され、スイッチング素子４２のオン・オフを切り替えることによって、負荷調整部２６の第１状態と第２状態とを切り替える。
【００３５】
制御部２４は、調光度が所定値以上のときと所定値未満のときとで第１状態と第２状態とを切り替える。例えば、所定値として調光度を１０％とした場合には、調光度が１０％以上の時に、負荷調整部２６を第２状態とする。そして、制御部２４は、例えば、調光度が１０％未満の時に、負荷調整部２６を第１状態とする。なお、所定値は調光信号の調光度を高い値から低い値に下げたときに調光器１２の出力電圧の応答性が低くなる調光度に設定することが好ましい。
【００３６】
光源装置１４は、発光素子６０と、定電流電源回路６２と、制御部６４と、電圧検出部６６と、電流検出部６８と、を有する。発光素子６０は、例えば、発光ダイオード（Light Emitting Diode：ＬＥＤ）である。発光素子６０は、例えば、有機発光ダイオード（Organic Light Emitting Diode：ＯＬＥＤ）、無機エレクトロルミネッセンス（Inorganic ElectroLuminescence）発光素子、有機エレクトロルミネッセンス（Organic ElectroLuminescence）発光素子、または、その他の電界発光型の発光素子などでもよい。発光素子６０は、直流電圧の印加によって点灯する任意の素子でよい。
【００３７】
光源装置１４は、接続部７０を有する。調光器１２は、光源装置１４の接続部７０を接続するための被接続部３２を有する。調光器１２は、例えば、複数の光源装置１４の接続部７０を接続するための複数の被接続部３２を有する。光源装置１４は、接続部７０及び被接続部３２を介して調光器１２と電気的に接続される。
【００３８】
光源装置１４は、例えば、電球である。より詳しくは、ＬＥＤ電球である。接続部７０は、例えば、口金であり、被接続部３２は、口金を受けるためのソケットである。このため、光源装置１４は、口金に設けられる２つの接点部分のみで、調光器１２と電気的に接続される。
【００３９】
定電流電源回路６２は、調光器１２から供給される直流の入力電圧を入力するための一対の入力端子６２ａ、６２ｂと、発光素子６０と電気的に接続される一対の出力端子６２ｃ、６２ｄと、を有する。定電流電源回路６２は、入力電圧に基づいて発光素子６０に直流電流を供給するとともに、直流電流の電流値を調整可能である。定電流電源回路６２は、例えば、ＤＣ−ＤＣコンバータである。
【００４０】
電圧検出部６６は、定電流電源回路６２の一対の入力端子６２ａ、６２ｂの間に設けられる。電圧検出部６６は、調光器１２から定電流電源回路６２の一対の入力端子６２ａ、６２ｂに入力される直流電圧の電圧値を検出し、検出結果を制御部６４に入力する。
【００４１】
電流検出部６８は、定電流電源回路６２の一対の出力端子６２ｃ、６２ｄの間に流れる直流電流の電流値を検出する。換言すれば、電流検出部６８は、発光素子６０に流れる負荷電流を検出する。電流検出部６８は、電流値の検出結果を制御部６４に入力する。電流検出部６８は、例えば、電流検出抵抗である。
【００４２】
制御部６４は、電圧検出部６６の検出結果を基に、入力電圧の電圧値を検出する。調光器１２から供給される光源装置１４の入力電圧は、調光信号の調光度に対応している。従って、入力電圧の電圧値を検出することにより、制御部６４において調光度を認識することができる。このように、照明システム１０では、光源装置１４に供給する入力電圧の電圧値を調光度に応じて変化させることにより、接続部７０が２本の線しか接続できない口金である場合にも、２本の線のみで電力の供給と調光度の伝達とを行うことができる。
【００４３】
制御部６４は、検出した入力電圧の電圧値に基づいて定電流電源回路６２の動作を制御し、入力電圧の電圧値に応じて発光素子６０に供給する直流電流の電流値を調整する。これにより、制御部６４は、入力電圧の電圧値（調光度）に応じた明るさで発光素子６０を点灯させる。定電流電源回路６２は、制御部６４の制御に基づき、入力電圧の電圧値（調光度）に応じた実質的に一定の電流値の直流電流を発光素子６０に供給する。
【００４４】
また、制御部６４は、例えば、電流検出部６８の検出結果に基づいて定電流電源回路６２の動作をフィードバック制御する。これにより、直流電流の電流値を調光度に応じた電流値により適切に調整することができる。
【００４５】
調光器１２の出力側には、直流電圧を安定させるためのコンデンサ２２が実装されている。このため、例えば、調光器１２に接続される光源装置１４の数が少ない状態で低い調光度が設定された場合など、負荷電流が小さくなった場合に、コンデンサ２２の放電時間が長くなり、直流電圧の変化時間が遅くなってしまう可能性がある。例えば、高い調光度が設定された状態から低い調光度に下げる場合に、コンデンサ２２の放電に時間がかかり、調光度に応じた直流電圧となるまでに時間がかかってしまう可能性がある。すなわち、明るい状態から暗い状態にする場合に、調光度に応じた暗さとなるまでに時間がかかってしまう可能性がある。
【００４６】
これに対し、本実施形態に係る調光器１２では、制御部２４が、調光信号に基づいて負荷調整部２６の動作を制御し、調光度が所定値以上の時に負荷調整部２６を第２状態とし、調光度が所定値未満の時に負荷調整部２６を第１状態とする。これにより、例えば、所定値未満の低い調光度が設定され、光源装置１４に流れる負荷電流が小さくなった場合にも、第１状態の負荷調整部２６に電流を流し、コンデンサ２２に蓄積された電荷を放電することができる。従って、低い調光度が設定された場合にも、コンデンサ２２の放電時間を短くし、直流電圧の変化時間が遅くなってしまうことを抑制することができる。調光下限側の負荷電流が小さい場合の調光速度を、調光上限側の負荷電流が大きい場合の調光速度に近付けることができる。
【００４７】
このように、本実施形態に係る調光器１２では、調光下限側から調光上限側までの調光速度を一定範囲に抑え、応答の良い明かり変化を実現することができる。
【００４８】
図２は、実施形態に係る照明システムの動作の一例を模式的に表すフローチャートである。  
図２は、調光器１２の制御部２４の動作の一例を模式的に表す。  
図２に表したように、制御部２４は、接続されている光源装置１４の定格消費電力が、所定値以上であるか否かを判定する（図２のステップＳ０１）。
【００４９】
制御部２４には、接続されている光源装置１４の定格消費電力（ワット数）を表す情報が入力される。定格消費電力の情報は、例えば、操作器１６から制御部２４に入力される。定格消費電力の情報は、調光信号と同様に、ネットワークなどを介して外部の機器から制御部２４に入力してもよいし、調光器１２自体に設けられた操作部材から制御部２４に入力してもよい。定格消費電力の情報の入力方法は、制御部２４に適切に入力可能な任意の方法でよい。
【００５０】
制御部２４は、入力された定格消費電力の情報を基に、接続されている光源装置１４の定格消費電力が、所定値以上であるか否かを判定する。制御部２４は、所定値以上であると判定した場合、負荷調整部２６を第１状態と第２状態とに切り替える際の調光度の所定値を第１調光度に設定する（図２のステップＳ０２）。
【００５１】
一方、制御部２４は、所定値未満であると判定した場合、負荷調整部２６を第１状態と第２状態とに切り替える際の調光度の所定値を第１調光度よりも高い第２調光度に設定する（図２のステップＳ０３）。
【００５２】
このように、制御部２４は、接続されている光源装置１４の定格消費電力に応じて、負荷調整部２６を第１状態と第２状態とに切り替える際の調光度の所定値を変更する。
【００５３】
光源装置１４の定格消費電力が低い場合、光源装置１４の定格消費電力が高い場合と比べて、同じ調光度を設定したとしても負荷電流が小さくなる。このため、制御部２４は、定格消費電力が低い場合に、定格消費電力が高い場合よりも、負荷調整部２６を第１状態と第２状態とに切り替える際の調光度の所定値を高くし、より調光度の高い状態から負荷調整部２６に電流が流れるようにする。
【００５４】
これにより、異なる定格消費電力の光源装置１４が調光器１２に接続される場合にも、定格消費電力の違いによる調光速度のバラツキを抑制し、より応答の良い明かり変化を実現することができる。
【００５５】
なお、図２の例では、負荷調整部２６を第１状態と第２状態とに切り替える際の調光度の所定値を２段階で変化させている。調光度の所定値は、２段階に限ることなく、３段階以上に変化させてもよい。例えば、定格消費電力の異なる複数の品種の光源装置１４が調光器１２に接続される場合には、接続される光源装置１４の品種毎に、調光度の所定値を変化させてもよい。
【００５６】
図３は、実施形態に係る照明システムの別の動作の一例を模式的に表すフローチャートである。  
図３に表したように、制御部２４は、複数の光源装置１４を調光器１２に接続可能である場合に、接続されている光源装置１４の数が、所定値以上であるか否かを判定する（図３のステップＳ１１）。
【００５７】
制御部２４には、接続されている光源装置１４の数を表す情報が入力される。光源装置１４の数の情報の入力方法は、定格消費電力の情報と同様に、制御部２４に適切に入力可能な任意の方法でよい。
【００５８】
制御部２４は、入力された光源装置１４の数の情報を基に、接続されている光源装置１４の数が、所定値以上であるか否かを判定する。制御部２４は、所定値以上であると判定した場合、負荷調整部２６を第１状態と第２状態とに切り替える際の調光度の所定値を第１調光度に設定する（図３のステップＳ１２）。
【００５９】
一方、制御部２４は、所定値未満であると判定した場合、負荷調整部２６を第１状態と第２状態とに切り替える際の調光度の所定値を第１調光度よりも高い第２調光度に設定する（図３のステップＳ１３）。
【００６０】
このように、制御部２４は、接続されている光源装置１４の数に応じて、負荷調整部２６を第１状態と第２状態とに切り替える際の調光度の所定値を変更する。
【００６１】
光源装置１４の数が少ない場合、光源装置１４の数が多い場合と比べて、同じ調光度を設定したとしても負荷電流が小さくなる。このため、制御部２４は、光源装置１４の数が少ない場合に、光源装置１４の数が多い場合よりも、負荷調整部２６を第１状態と第２状態とに切り替える際の調光度の所定値を高くし、より調光度の高い状態から負荷調整部２６に電流が流れるようにする。
【００６２】
これにより、任意の数の光源装置１４が調光器１２に接続される場合にも、光源装置１４の接続灯数の違いによる調光速度のバラツキを抑制し、より応答の良い明かり変化を実現することができる。
【００６３】
なお、図３の例では、負荷調整部２６を第１状態と第２状態とに切り替える際の調光度の所定値を２段階で変化させている。調光度の所定値は、２段階に限ることなく、３段階以上に変化させてもよい。例えば、接続される光源装置１４の数毎に、調光度の所定値を変化させてもよい。
【００６４】
また、例えば、光源装置１４の定格消費電力の情報と、光源装置１４の数の情報と、を制御部２４に入力することにより、制御部２４が、接続されている光源装置１４の定格消費電力及び数に応じて、負荷調整部２６を第１状態と第２状態とに切り替える際の調光度の所定値を変更してもよい。
【００６５】
図４は、実施形態に係る照明システムの別の動作の一例を模式的に表すフローチャートである。  
図４に表したように、制御部２４は、一対の出力端子２０ｃ、２０ｄの間に流れる負荷電流の電流値が、所定値以上であるか否かを判定する（図４のステップＳ２１）。
【００６６】
制御部２４は、電流検出部３０の検出結果を基に、一対の出力端子２０ｃ、２０ｄの間に流れる負荷電流の電流値を検出する。そして、制御部２４は、所定の調光度（例えば全光時）に対する負荷電流の電流値が、所定値以上であるか否かを判定する。
【００６７】
制御部２４は、所定値以上であると判定した場合、負荷調整部２６を第１状態と第２状態とに切り替える際の調光度の所定値を第１調光度に設定する（図４のステップＳ２２）。
【００６８】
一方、制御部２４は、所定値未満であると判定した場合、負荷調整部２６を第１状態と第２状態とに切り替える際の調光度の所定値を第１調光度よりも高い第２調光度に設定する（図４のステップＳ２３）。
【００６９】
このように、制御部２４は、一対の出力端子２０ｃ、２０ｄの間に流れる負荷電流の電流値に応じて、負荷調整部２６を第１状態と第２状態とに切り替える際の調光度の所定値を変更する。
【００７０】
これにより、例えば、光源装置１４の定格消費電力の情報や光源装置１４の数の情報などを制御部２４に逐一入力しなくとも、光源装置１４の定格消費電力の違いや接続灯数の違いによる調光速度のバラツキを適切に抑制することができる。光源装置１４の定格消費電力の情報や光源装置１４の数の情報を使用者などに入力させる手間を省略することができるとともに、情報の入力忘れなどによる調光速度のバラツキの発生などを適切に抑制することができる。従って、より応答の良い明かり変化を実現することができる。
【００７１】
なお、図４の例では、負荷調整部２６を第１状態と第２状態とに切り替える際の調光度の所定値を２段階で変化させている。調光度の所定値は、２段階に限ることなく、３段階以上に変化させてもよい。例えば、一対の出力端子２０ｃ、２０ｄの間に流れる負荷電流の電流値に応じて、調光度の所定値を段階的に変化させてもよいし、調光度の所定値を連続的に変化させてもよい。また、例えば、負荷電流に対して閾値を設定し、負荷電流が閾値以下となった際に、負荷調整部２６を第２状態から第１状態に切り替えてもよい。
【００７２】
図５は、実施形態に係る照明システムの変形例を模式的に表すブロック図である。  
図５に表したように、照明システム１００では、調光器１１２において、上記実施形態の調光器１２の負荷調整部２６が、負荷調整部１２６に置き換えられている。その他の構成については、上記実施形態と同様であるから、同符号を付し、詳細な説明は省略する。
【００７３】
負荷調整部１２６は、一対の出力端子２０ｃ、２０ｄの間に設けられ、一対の出力端子２０ｃ、２０ｄのそれぞれと電気的に接続される一対の端子部１２６ａ、１２６ｂを有する。負荷調整部１２６は、抵抗素子１４０とスイッチング素子１４２とを有する。抵抗素子１４０は、一対の端子部１２６ａ、１２６ｂの間に設けられる。スイッチング素子１４２は、一対の端子部１２６ａ、１２６ｂの間において、抵抗素子１４０と直列に接続される。この例において、スイッチング素子１４２は、例えば、トランジスタやＦＥＴ（Field Effect Transistor）などの半導体スイッチである。すなわち、負荷調整部１２６では、負荷調整部２６の機械式のスイッチであるスイッチング素子４２が、半導体スイッチのスイッチング素子１４２に置き換えられている。
【００７４】
負荷調整部１２６においても、負荷調整部２６と同様に、スイッチング素子１４２をオン状態にすることによって、負荷調整部１２６が第１状態となり、スイッチング素子１４２をオフ状態にすることによって、負荷調整部１２６が第２状態となる。
【００７５】
制御部２４は、スイッチング素子１４２の制御端子と電気的に接続されている。制御部２４は、スイッチング素子１４２のオン・オフを切り替えることによって、負荷調整部１２６の第１状態と第２状態とを切り替える。このように、負荷調整部の構成は、機械式のスイッチを用いた構成でもよいし、半導体スイッチを用いた構成でもよい。
【００７６】
また、スイッチング素子１４２に半導体スイッチを用いた負荷調整部１２６では、スイッチング素子１４２の制御端子に印加する電圧によって、一対の端子部１２６ａ、１２６ｂの間に流れる電流を調整可能である。負荷調整部１２６では、例えば、第１状態において一対の端子部１２６ａ、１２６ｂの間に流れる電流を調整可能である。また、負荷調整部１２６では、例えば、第１状態において流れる電流よりも小さい電流が一対の端子部１２６ａ、１２６ｂの間に流れる状態を第２状態とすることもできる。
【００７７】
図６は、実施形態に係る照明システムの動作の一例を模式的に表すフローチャートである。  
図６は、調光器１１２の制御部２４の動作の一例を模式的に表す。  
図６に表したように、制御部２４は、接続されている光源装置１４の定格消費電力が、所定値以上であるか否かを判定する（図６のステップＳ３１）。
【００７８】
制御部２４は、入力された定格消費電力の情報を基に、接続されている光源装置１４の定格消費電力が、所定値以上であるか否かを判定する。定格消費電力の情報の入力方法は、前述のように、制御部２４に適切に入力可能な任意の方法でよい。
【００７９】
制御部２４は、所定値以上であると判定した場合、負荷調整部１２６を第１状態とした際に一対の端子部１２６ａ、１２６ｂの間に流れる電流の電流値を第１電流値に設定する（図６のステップＳ３２）。
【００８０】
一方、制御部２４は、所定値未満であると判定した場合、負荷調整部１２６を第１状態とした際に一対の端子部１２６ａ、１２６ｂの間に流れる電流の電流値を第１電流値よりも高い第２電流値に設定する（図６のステップＳ３３）。
【００８１】
このように、制御部２４は、接続されている光源装置１４の定格消費電力に応じて、第１状態において一対の端子部１２６ａ、１２６ｂの間に流れる電流の電流値を調整する。
【００８２】
光源装置１４の定格消費電力が低い場合、光源装置１４の定格消費電力が高い場合と比べて、同じ調光度を設定したとしても負荷電流が小さくなる。このため、制御部２４は、定格消費電力が低い場合に、定格消費電力が高い場合よりも、負荷調整部１２６を第１状態とした際に一対の端子部１２６ａ、１２６ｂの間に流れる電流の電流値を高くし、より負荷調整部１２６に電流が流れるようにする。
【００８３】
これにより、異なる定格消費電力の光源装置１４が調光器１２に接続される場合にも、定格消費電力の違いによる調光速度のバラツキを抑制し、より応答の良い明かり変化を実現することができる。
【００８４】
なお、図６の例では、第１状態において一対の端子部１２６ａ、１２６ｂの間に流れる電流の電流値を２段階で変化させている。電流値は、２段階に限ることなく、３段階以上に変化させてもよい。例えば、定格消費電力の異なる複数の品種の光源装置１４が調光器１１２に接続される場合には、接続される光源装置１４の品種毎に、電流値を変化させてもよい。
【００８５】
図７は、実施形態に係る照明システムの別の動作の一例を模式的に表すフローチャートである。  
図７に表したように、制御部２４は、複数の光源装置１４を調光器１１２に接続可能である場合に、接続されている光源装置１４の数が、所定値以上であるか否かを判定する（図７のステップＳ４１）。
【００８６】
制御部２４は、入力された光源装置１４の数の情報を基に、接続されている光源装置１４の数が、所定値以上であるか否かを判定する。光源装置１４の数の情報の入力方法は、制御部２４に適切に入力可能な任意の方法でよい。
【００８７】
制御部２４は、所定値以上であると判定した場合、負荷調整部１２６を第１状態とした際に一対の端子部１２６ａ、１２６ｂの間に流れる電流の電流値を第１電流値に設定する（図７のステップＳ４２）。
【００８８】
一方、制御部２４は、所定値未満であると判定した場合、負荷調整部１２６を第１状態とした際に一対の端子部１２６ａ、１２６ｂの間に流れる電流の電流値を第１電流値よりも高い第２電流値に設定する（図７のステップＳ４３）。
【００８９】
このように、制御部２４は、接続されている光源装置１４の数に応じて、第１状態において一対の端子部１２６ａ、１２６ｂの間に流れる電流の電流値を調整する。
【００９０】
光源装置１４の数が少ない場合、光源装置１４の数が多い場合と比べて、同じ調光度を設定したとしても負荷電流が小さくなる。このため、制御部２４は、光源装置１４の数が少ない場合に、光源装置１４の数が多い場合よりも、負荷調整部１２６を第１状態とした際に一対の端子部１２６ａ、１２６ｂの間に流れる電流の電流値を高くし、より負荷調整部１２６に電流が流れるようにする。
【００９１】
これにより、任意の数の光源装置１４が調光器１１２に接続される場合にも、光源装置１４の接続灯数の違いによる調光速度のバラツキを抑制し、より応答の良い明かり変化を実現することができる。
【００９２】
なお、図７の例では、第１状態において一対の端子部１２６ａ、１２６ｂの間に流れる電流の電流値を２段階で変化させている。電流値は、２段階に限ることなく、３段階以上に変化させてもよい。例えば、接続される光源装置１４の数毎に、電流値を変化させてもよい。
【００９３】
また、例えば、光源装置１４の定格消費電力の情報と、光源装置１４の数の情報と、を制御部２４に入力することにより、制御部２４が、接続されている光源装置１４の定格消費電力及び数に応じて、第１状態において一対の端子部１２６ａ、１２６ｂの間に流れる電流の電流値を調整してもよい。
【００９４】
図８は、実施形態に係る照明システムの別の動作の一例を模式的に表すフローチャートである。  
図８に表したように、制御部２４は、一対の出力端子２０ｃ、２０ｄの間に流れる負荷電流の電流値が、所定値以上であるか否かを判定する（図８のステップＳ５１）。
【００９５】
制御部２４は、電流検出部３０の検出結果を基に、一対の出力端子２０ｃ、２０ｄの間に流れる負荷電流の電流値を検出する。そして、制御部２４は、所定の調光度（例えば全光時）に対する負荷電流の電流値が、所定値以上であるか否かを判定する。
【００９６】
制御部２４は、所定値以上であると判定した場合、負荷調整部１２６を第１状態とした際に一対の端子部１２６ａ、１２６ｂの間に流れる電流の電流値を第１電流値に設定する（図８のステップＳ５２）。
【００９７】
一方、制御部２４は、所定値未満であると判定した場合、負荷調整部１２６を第１状態とした際に一対の端子部１２６ａ、１２６ｂの間に流れる電流の電流値を第１電流値よりも高い第２電流値に設定する（図８のステップＳ５３）。
【００９８】
このように、制御部２４は、一対の出力端子２０ｃ、２０ｄの間に流れる負荷電流の電流値に応じて、第１状態において一対の端子部１２６ａ、１２６ｂの間に流れる電流の電流値を調整する。
【００９９】
これにより、例えば、光源装置１４の定格消費電力の情報や光源装置１４の数の情報などを制御部２４に逐一入力しなくとも、光源装置１４の定格消費電力の違いや接続灯数の違いによる調光速度のバラツキを適切に抑制することができる。光源装置１４の定格消費電力の情報や光源装置１４の数の情報を使用者などに入力させる手間を省略することができるとともに、情報の入力忘れなどによる調光速度のバラツキの発生などを適切に抑制することができる。従って、より応答の良い明かり変化を実現することができる。
【０１００】
なお、図８の例では、第１状態において一対の端子部１２６ａ、１２６ｂの間に流れる電流の電流値２段階で変化させている。電流値は、２段階に限ることなく、３段階以上に変化させてもよい。例えば、一対の出力端子２０ｃ、２０ｄの間に流れる負荷電流の電流値に応じて、電流値を段階的に変化させてもよいし、電流値を連続的に変化させてもよい。
【０１０１】
例えば、図２〜図４に示した例と、図６〜図８に示した例と、を任意に組み合わせることにより、第１状態において一対の端子部１２６ａ、１２６ｂの間に流れる電流を調整可能とするとともに、負荷調整部１２６を第１状態と第２状態とに切り替える際の調光度の所定値を変更可能としてもよい。これにより、より応答の良い明かり変化を実現することができる。
【０１０２】
図９は、実施形態に係る照明システムの変形例を模式的に表すブロック図である。  
図９に表したように、照明システム２００の調光器２１２では、負荷調整部２６が省略されている。調光器２１２の構成は、負荷調整部２６が省略されている点を除いて、調光器１２の構成と実質的に同じであるから、詳細な説明は省略する。
【０１０３】
照明システム２００では、調光器２１２から負荷調整部２６が省略され、代わりに光源装置２１４に負荷調整部２２６が設けられている。光源装置２１４の負荷調整部２２６以外の構成については、光源装置１４と実質的に同じであるから、同符号を付し、詳細な説明は省略する。
【０１０４】
負荷調整部２２６は、定電流電源回路６２の一対の入力端子６２ａ、６２ｂの間に設けられ、一対の入力端子６２ａ、６２ｂのそれぞれと電気的に接続される一対の端子部２２６ａ、２２６ｂを有する。負荷調整部２２６は、例えば、抵抗素子２４０とスイッチング素子２４２とを有する。負荷調整部２２６の構成は、負荷調整部２６の構成と実質的に同じであるから、詳細な説明は省略する。
【０１０５】
制御部６４は、電圧検出部６６によって検出された入力電圧の電圧値（調光度）に基づいて負荷調整部２２６の動作を制御し、電圧値が所定値以上の時に負荷調整部２２６を第２状態とし、電圧値が所定値未満の時に負荷調整部２２６を第１状態とする。この例において、制御部６４は、スイッチング素子２４２と電気的に接続され、スイッチング素子２４２のオン・オフを切り替えることによって、負荷調整部２２６の第１状態と第２状態とを切り替える。
【０１０６】
これにより、例えば、所定値未満の低い調光度が設定され、発光素子６０に流れる負荷電流が小さくなった場合にも、第１状態の負荷調整部２２６に電流を流し、調光器２１２のコンデンサ２２に蓄積された電荷を放電することができる。従って、低い調光度が設定された場合にも、コンデンサ２２の放電時間を短くし、直流電圧の変化時間が遅くなってしまうことを抑制することができる。調光下限側の負荷電流が小さい場合の調光速度を、調光上限側の負荷電流が大きい場合の調光速度に近付けることができる。
【０１０７】
本実施形態に係る光源装置２１４においても、上記実施形態の調光器１２と同様に、調光下限側から調光上限側までの調光速度を一定範囲に抑え、応答の良い明かり変化を実現することができる。このように、負荷調整部は、調光器側に設けてもよいし、光源装置側に設けてもよい。
【０１０８】
但し、調光器に対して複数の光源装置を接続する場合には、調光器側に負荷調整部を設けることが好ましい。これにより、複数の光源装置のそれぞれに負荷調整部を設ける場合と比べて、照明システム全体での部品点数を少なくすることができるとともに、コンデンサ２２の近傍に負荷調整部を配置することで、コンデンサ２２の放電をより確実に行うことができる。
【０１０９】
図１０は、実施形態に係る照明システムの変形例を模式的に表すブロック図である。  
図１０に表したように、照明システム３００の光源装置３１４では、負荷調整部３２６が、定電流電源回路６２の出力側に設けられている。
【０１１０】
負荷調整部３２６は、定電流電源回路６２の一対の出力端子６２ｃ、６２ｄの間に設けられ、一対の出力端子６２ｃ、６２ｄのそれぞれと電気的に接続される一対の端子部３２６ａ、３２６ｂを有する。負荷調整部３２６は、例えば、抵抗素子３４０とスイッチング素子３４２とを有する。負荷調整部３２６の構成は、負荷調整部２６の構成と実質的に同じであるから、詳細な説明は省略する。
【０１１１】
制御部６４は、電圧検出部６６によって検出された入力電圧の電圧値（調光度）に基づいて負荷調整部３２６の動作を制御し、電圧値が所定値以上の時に負荷調整部３２６を第２状態とし、電圧値が所定値未満の時に負荷調整部３２６を第１状態とする。この例において、制御部６４は、スイッチング素子３４２と電気的に接続され、スイッチング素子３４２のオン・オフを切り替えることによって、負荷調整部３２６の第１状態と第２状態とを切り替える。
【０１１２】
これにより、例えば、所定値未満の低い調光度が設定され、発光素子６０に流れる負荷電流が小さくなった場合にも、第１状態の負荷調整部３２６に電流を流すことができる。このため、定電流電源回路６２での電力消費が増加し、結果として調光器２１２のコンデンサ２２に蓄積された電荷を放電し易くすることができる。従って、低い調光度が設定された場合にも、コンデンサ２２の放電時間を短くし、直流電圧の変化時間が遅くなってしまうことを抑制することができる。調光下限側の負荷電流が小さい場合の調光速度を、調光上限側の負荷電流が大きい場合の調光速度に近付けることができる。このように、負荷調整部３２６は、定電流電源回路６２の入力側に設けてもよいし、出力側に設けてもよい。
【０１１３】
なお、光源装置２１４、３１４の負荷調整部２２６、３２６では、負荷調整部２６と実質的に同じ構成としている。光源装置２１４、３１４の負荷調整部２２６、３２６の構成は、負荷調整部１２６の構成と実質的に同じとしてもよい。
【０１１４】
また、光源装置２１４、３１４の負荷調整部２２６、３２６において、図２〜図４に表したように、負荷調整部２６を第１状態と第２状態とに切り替える際の調光度の所定値を変更可能としてもよいし、図６〜図８に表したように、負荷調整部２２６、３２６を第１状態とした際に一対の端子部の間に流れる電流の電流値を調整可能としてもよい。
【０１１５】
なお、負荷調整部の構成は、上記に限定されるものではない。例えば、デジタルポテンショメータなどの可変抵抗を負荷調整部とし、抵抗値の変化によって第１状態と第２状態とを切り替えてもよい。負荷調整部の構成は、一対の端子部の間に電流を流す第１状態と、一対の端子部の間の電流を第１状態よりも小さくする第２状態と、を切り替え可能な任意の構成でよい。
【０１１６】
本発明のいくつかの実施形態および実施例を説明したが、これらの実施形態または実施例は、例として提示したものであり、発明の範囲を限定することは意図していない。これら新規な実施形態または実施例は、その他の様々な形態で実施されることが可能であり、発明の要旨を逸脱しない範囲で、種々の省略、置き換え、変更を行うことができる。これら実施形態または実施例やその変形は、発明の範囲や要旨に含まれるとともに、特許請求の範囲に記載された発明とその均等の範囲に含まれる。
【符号の説明】
【０１１７】
２…交流電源、  １０…照明システム、  １２…調光器、  １４…光源装置、  １６…操作器、  ２０…定電圧電源回路、  ２２…コンデンサ、  ２４…制御部、  ２６…負荷調整部、  ２８…電圧検出部、  ３０…電流検出部、  ３２…被接続部、  ４０…抵抗素子、  ４２…スイッチング素子、  ６０…発光素子、  ６２…定電流電源回路、  ６４…制御部、  ６６…電圧検出部、  ６８…電流検出部、  ７０…接続部、  １００…照明システム、  １１２…調光器、  １２６…負荷調整部、  １４０…抵抗素子、  １４２…スイッチング素子、  ２００…照明システム、  ２１２…調光器、  ２１４…光源装置、  ２２６…負荷調整部、  ２４０…抵抗素子、  ２４２…スイッチング素子、  ３００…照明システム、  ３１４…光源装置、  ３２６…負荷調整部、  ３４０…抵抗素子、  ３４２…スイッチング素子
【図１】
2020109728.tif 000003
【図２】
2020109728.tif 000004
【図３】
2020109728.tif 000005
【図４】
2020109728.tif 000006
【図５】
2020109728.tif 000007
【図６】
2020109728.tif 000008
【図７】
2020109728.tif 000009
【図８】
2020109728.tif 000010
【図９】
2020109728.tif 000011
【図１０】
2020109728.tif 000012